(57)【要約】【課題】自動用処理剤タンクに対するユーザの作業性の向上を図る。【解決手段】ドラム式洗濯機は、外箱と、外箱の内部に設けられた水槽と、１回分の洗濯処理剤を貯留可能な手動用処理剤ケースを有し、手動用処理剤ケース内に貯留された洗濯処理剤の全量を洗濯運転中に水槽内に投入する処理剤手動投入装置と、複数回分の洗濯処理剤を貯留可能な自動用処理剤タンクを有し、自動用処理剤タンク内に貯留された洗濯処理剤のうち所定量を洗濯運転中に水槽内に投入する処理剤自動投入装置と、を備える。処理剤自動投入装置は、外箱の前側部分に設けられている。【選択図】図１
2020000801.tif 000002
【特許請求の範囲】
【請求項１】
外箱と、
前記外箱の内部に設けられた水槽と、
１回分の洗濯処理剤を貯留可能な手動用処理剤ケースを有し、前記手動用処理剤ケース内に貯留された洗濯処理剤の全量を洗濯運転中に前記水槽内に投入する処理剤手動投入装置と、
複数回分の洗濯処理剤を貯留可能な自動用処理剤タンクを有し、前記自動用処理剤タンク内に貯留された洗濯処理剤のうち所定量を洗濯運転中に前記水槽内に投入する処理剤自動投入装置と、
を備え、
前記処理剤自動投入装置は、前記外箱の前側部分に設けられている、
ドラム式洗濯機。
【請求項２】
前記外箱の上面前側に設けられユーザの操作を受け付ける操作パネル、を更に備え、
前記処理剤自動投入装置は、前記外箱の前後方向において前記操作パネルと重なる位置に設けられている、
請求項１に記載のドラム式洗濯機。
【請求項３】
前記処理剤手動投入装置は、前記外箱の幅方向の一方側寄りに設けられ、
前記処理剤自動投入装置は、前記外箱の幅方向に対して前記処理剤手動投入装置と同方向側寄りでかつ前記処理剤手動投入装置の前方に設けられている、
請求項１に記載のドラム式洗濯機。
【請求項４】
前記処理剤手動投入装置と前記処理剤自動投入装置とは、前記外箱の幅方向に並んで配置されている、
請求項１に記載のドラム式洗濯機。
【請求項５】
前記処理剤自動投入装置は、前記洗濯処理剤を貯留する自動用処理剤タンクとして洗剤を貯留する自動用洗剤タンクと柔軟剤を貯留する自動用柔軟剤タンクとを有し、
前記自動用洗剤タンクと前記自動用柔軟剤タンクとは、前記外箱の幅方向に並んで配置されている、
請求項１から４のいずれか一項に記載のドラム式洗濯機。
【請求項６】
前記処理剤自動投入装置は、前記洗濯処理剤を貯留する自動用処理剤タンクとして洗剤を貯留する自動用洗剤タンクと柔軟剤を貯留する自動用柔軟剤タンクとを有し、
前記自動用洗剤タンクと前記自動用柔軟剤タンクとは、前記外箱の奥行方向に並んで配置されている、
請求項１から４のいずれか一項に記載のドラム式洗濯機。
【請求項７】
外部の水源に接続される給水弁と、
前記給水弁から前記処理剤手動投入装置を経由するとともに前記処理剤自動投入装置を経ずに前記水槽へ至る給水経路と、を更に備え、
前記処理剤自動投入装置は、前記自動用処理剤タンクに貯留された洗濯処理剤を、前記給水経路を介して前記水槽に投入する、
請求項１から６のいずれか一項に記載のドラム式洗濯機。
【発明の詳細な説明】
【技術分野】
【０００１】
本発明の実施形態は、ドラム式洗濯機に関する。
【背景技術】
【０００２】
近年、ユーザの利便性向上の要望に応えるため、洗剤や柔軟剤などの洗濯処理剤を自動用処理剤タンク内に予め複数回分貯留しておき、洗濯運転中に必要量を自動用処理剤タンクから自動的に水槽内へ投入する洗濯機が開発されている。しかしながら、従来構成において、洗剤や柔軟剤を貯留する自動用処理剤タンクは、洗濯機の本体上部の後方側に配置されている。このため、従来構成では、例えば洗濯処理剤を自動用処理剤タンクに補充等する際に、ユーザは、洗濯機の後方まで腕を大きく伸ばして作業しなければならず、作業性が悪かった。
【先行技術文献】
【特許文献】
【０００３】
【特許文献１】特開２０１８−１１６１８号公報
【発明の概要】
【発明が解決しようとする課題】
【０００４】
そこで、自動用処理剤タンクに対するユーザの作業性の向上を図ることができるドラム式洗濯機を提供する。
【課題を解決するための手段】
【０００５】
実施形態によるドラム式洗濯機は、外箱と、前記外箱の内部に設けられた水槽と、１回分の洗濯処理剤を貯留可能な手動用処理剤ケースを有し、前記手動用処理剤ケース内に貯留された洗濯処理剤の全量を洗濯運転中に前記水槽内に投入する処理剤手動投入装置と、複数回分の洗濯処理剤を貯留可能な自動用処理剤タンクを有し、前記自動用処理剤タンク内に貯留された洗濯処理剤のうち所定量を洗濯運転中に前記水槽内に投入する処理剤自動投入装置と、を備える。前記処理剤自動投入装置は、前記外箱の前側部分に設けられている。
【図面の簡単な説明】
【０００６】
【図１】第１実施形態によるドラム式洗濯機の外観を示す斜視図
【図２】第１実施形態によるドラム式洗濯機の概略構成を示す縦断側面図
【図３】第１実施形態によるドラム式洗濯機について、各要素の配置例を模式的に示す平面図
【図４】第１実施形態によるドラム式洗濯機について、各要素の配置例を模式的に示す正面図
【図５】第１実施形態によるドラム式洗濯機について、給水経路及び排水経路の構成の一例を模式的に示す図
【図６】第１実施形態によるドラム式洗濯機について、給水経路及び排水経路の構成の他の例を模式的に示す図
【図７】第２実施形態によるドラム式洗濯機について、各要素の配置例を模式的に示す平面図
【図８】第３実施形態によるドラム式洗濯機について、各要素の配置例を模式的に示す平面図（その１）
【図９】第３実施形態によるドラム式洗濯機について、各要素の配置例を模式的に示す平面図（その２）
【図１０】第３実施形態によるドラム式洗濯機について、各要素の配置例を模式的に示す平面図（その３）
【図１１】第３実施形態によるドラム式洗濯機について、各要素の配置例を模式的に示す平面図（その４）
【発明を実施するための形態】
【０００７】
以下、複数の実施形態について図面を参照しながら説明する。なお、各実施形態で実質的に同一の要素には同一の符号を付し、説明を省略する。
【０００８】
（第１実施形態）
まず、第１実施形態について図１〜図６を参照して説明する。ドラム式洗濯機１０は、図１及び図２に示すように、外箱１１、扉１２、水槽１３、回転槽１４、モータ１５、排水弁１６、給水弁１７、操作パネル１８、処理剤手動投入装置２０、及び処理剤自動投入装置３０を備えている。なお、本明細書において、外箱１１に対して扉１２側をドラム式洗濯機１０の前側とする。また、前後方向に対する垂直な水平方向を左右方向とし、前後方向及び左右方向に直交する重力方向を上下方向とする。
【０００９】
ドラム式洗濯機１０は、水槽１３の中心軸および回転槽１４の回転中心となる軸がいずれも地面に対し傾斜したいわゆる斜めドラム式の洗濯機である。具体的には、水槽１３および回転槽１４は、後方へ向かうほど下降するように傾斜している。ドラム式洗濯機１０は、例えばヒートポンプ式やヒータ式の乾燥機能を有していてもよいし、備えていなくてもよい。なお、以下の説明では、単に洗濯機１０と称する。
【００１０】
外箱１１は、例えば鋼板などによってほぼ矩形の箱状に形成されている。水槽１３は、外箱１１の内部に収容されており、図示しないダンパによって弾性的に支持されている。回転槽１４は、水槽１３の内部に回転可能に収容されている。水槽１３及び回転槽１４は、いずれも円筒形状の軸方向の一方側つまり前端側が開口し、他方側つまり後方側に底部を有する、いわゆる有底円筒状に形成されている。モータ１５は、水槽１３の底部外側に設けられており、回転槽１４に接続されている。回転槽１４は、水槽１３の内側においてモータ１５によって回転駆動される。
【００１１】
排水弁１６は、電磁駆動可能な液体用の開閉弁であり、図示しない制御装置によって駆動制御される。排水弁１６の入力側は、水槽１３内に接続されており、排水弁１６の出力側は、洗濯機１０の外部に接続されている。排水弁１６は、水槽１３内に貯留されている水を外箱１１の外部に排水するための排水経路４１を開閉する。排水弁１６が閉じると、水槽１３内は水を貯留可能な状態となる。また、排水弁１６が開くと、水槽１３内に貯留された水が洗濯機１０外へ排水可能となる。
【００１２】
給水弁１７は、電磁駆動可能な液体用の開閉弁であり、図示しない制御装置によって駆動制御される。給水弁１７の入力側は、水道等の外部の水源に接続されており、給水弁１７の出力側は、処理剤手動投入装置２０に接続されている。給水弁１７は、水道等の外部の水源から処理剤手動投入装置２０を介して水槽１３内へ給水するための給水経路４２を開閉する。この給水経路４２は、給水弁１７から処理剤手動投入装置２０を経由するとともに、処理剤自動投入装置３０を経ずに前記水槽へ至る経路である。
【００１３】
給水弁１７が開くと、水道等の外部の水源からの水は、処理剤手動投入装置２０を通って水槽１３内へ給水される。また、給水弁１７が閉じると、水槽１３内への給水が停止される。給水弁１７は、例えば図１及び図２に示すように、外箱１１内であって、外箱１１の後側寄りでかつ左右方向の一方側寄り、つまり後側の隅部に設けられている。本実施形態の場合、給水弁１７は、外箱１１内の上部後方でかつ左側寄りに設けられている。
【００１４】
操作パネル１８は、ユーザの操作を受け付けて、その操作に基づいて運転コースの選択など各種設定を行うものである。操作パネル１８の入力方式は、タッチセンサ式又は機械スイッチ式のいずれでも良い。また、操作パネル１８は、タッチセンサや機械スイッチと液晶パネルとを組み合わせて構成することもできる。本実施形態の場合、操作パネル１８は、タッチセンサ式を採用している。この場合、外箱１１の上面１１１において、図１の二点鎖線で囲った範囲内に、必要に応じて操作キーが表示される。ユーザは、上面１１１に表示される操作キーをタッチ操作することで、操作パネル１８を操作することができる。
【００１５】
操作パネル１８は、外箱１１の上面１１１において、洗濯機１０の前後方向の中心よりも前側に設けられている。この場合、上面１１１の前端部１１２と操作パネル１８との間には、他の構成要素は設けられていない。つまり、この場合、操作パネル１８は、上面１１１における最前端に設けられている。
【００１６】
処理剤手動投入装置２０は、洗濯運転毎にユーザから、１回分の洗濯運転に要する洗濯処理剤の供給を受けて、その洗濯処理剤の全量をその洗濯運転中に水槽１３内に供給する機能を有している。本実施形態の場合、洗濯処理剤は、例えば粉末又は液体の洗剤や柔軟仕上げ剤等である。本実施形態の場合、処理剤手動投入装置２０は、図１〜図３に示すように、外箱１１内でかつ水槽１３の上方にあって、洗濯機１０の左右方向の一方側寄りに設けられている。本実施形態の場合、処理剤手動投入装置２０は、洗濯機１０の左側寄りに設けられている。
【００１７】
具体的には、処理剤手動投入装置２０は、操作パネル１８に対して左側にあって、処理剤自動投入装置３０の後側に設けられている。また、この場合、処理剤手動投入装置２０は、洗濯機１０の前後方向に対して操作パネル１８と少なくとも一部が重なる位置に設けられている。処理剤手動投入装置２０は、図５に示すように、給水経路４２の途中に設けられており、給水経路４２の一部を構成している。
【００１８】
処理剤手動投入装置２０は、図５にも示すように、注水ケース２１及び手動用処理剤ケース２２を有して構成されている。注水ケース２１は、処理剤手動投入装置２０の外殻を構成するものであり、例えば樹脂製であって箱状に形成されている。注水ケース２１の上流側は給水弁１７に接続されており、注水ケース２１の下流側は注水ホース１９を介して水槽１３に接続されている。
【００１９】
手動用処理剤ケース２２は、例えば樹脂製であって、１回分程度の洗濯剤を貯留可能な容器状に構成されている。手動用処理剤ケース２２は、注水ケース２１内に収容されており、ユーザの操作により、外箱１１の外部に露出可能に構成されている。手動用処理剤ケース２２は、注水ケース２１内に収容された状態において、給水弁１７を介して供給された水を受ける位置に設けられている。手動用処理剤ケース２２は、例えば外箱１１に設けられた手動用処理剤ケース２２を覆う蓋を開閉することで、外箱１１の外部に露出する構成でも良いし、注水ケース２１に対して引き出し可能又は取り外すことで、外箱１１の外部に露出する構成でも良い。
【００２０】
洗濯処理剤を洗濯運転毎に手動で水槽１３内に投入する場合、ユーザは、洗濯運転を開始する以前に、予め１回分の洗濯処理剤を手動用処理剤ケース２２内に投入する。この場合、ユーザは、例えば手動用処理剤ケース２２を覆う蓋を開いたり手動用処理剤ケース２２を引き出し又は取り外したりして手動用処理剤ケース２２を外部に露出させる。そして、ユーザは、手動用処理剤ケース２２を外部に露出させた状態で、手動用処理剤ケース２２内に洗濯処理剤を投入する。
【００２１】
その後、洗濯運転中に給水弁１７が開かれると、給水弁１７から吐出された水は、注水ケース２１内に設けられた手動用処理剤ケース２２に注ぎ込まれる。そして、手動用処理剤ケース２２に注ぎ込まれた水は、手動用処理剤ケース２２及び注水ケース２１から流出し、注水ホース１９を介して水槽１３内に注ぎ込まれる。このとき、手動用処理剤ケース２２内に洗濯処理剤が投入されていれば、その洗濯処理剤は、手動用処理剤ケース２２及び注水ケース２１から流出する水とともに水槽１３内に流し落とされる。このようにして、水槽１３内に注水されるとともに、手動用処理剤ケース２２内に貯留された洗濯処理剤の全量が、洗濯運転中に水槽１３内に投入される。
【００２２】
処理剤自動投入装置３０は、予め複数回分の洗濯処理剤を貯留しておき、複数回の洗濯運転に亘って所定量の洗濯処理剤を自動で水槽１３内に供給する機能を有している。本実施形態の場合、処理剤自動投入装置３０は、図１〜図３に示すように、外箱１１内でかつ水槽１３の上方にあって、洗濯機１０の左右方向の一方側寄りに設けられている。本実施形態の場合、処理剤自動投入装置３０は、処理剤手動投入装置２０と同様に、洗濯機１０の左側寄りに設けられている。
【００２３】
具体的には、処理剤自動投入装置３０は、操作パネル１８に対して左側にあって、処理剤手動投入装置２０の前方に設けられている。また、この場合、処理剤自動投入装置３０は、洗濯機１０の前後方向に対して操作パネル１８と少なくとも一部が重なる位置に設けられている。本実施形態の場合、処理剤自動投入装置３０は、洗濯機１０の前後方向に対して操作パネル１８の全部が重なる位置に設けられている。
【００２４】
処理剤自動投入装置３０は、図５に示すように、給水弁１７から水槽１３に至る給水経路４２の途中部分に接続されている。この場合、処理剤自動投入装置３０は、処理剤手動投入装置２０の下流側で水槽１３の上流側、つまり処理剤手動投入装置２０と水槽１３との間に接続されている。本実施形態の場合、処理剤自動投入装置３０は、図５に示すように、注水ホース１９の途中部分に接続されている。また、処理剤自動投入装置３０は、図６に示すように、手動用処理剤ケース２２の注水ケース２１に接続しても良い。
【００２５】
給水経路４２は、処理剤自動投入装置３０を経由していない。すなわち、処理剤自動投入装置３０は、給水経路４２の構成要素に含まれていない。この処理剤自動投入装置３０は、所定量の洗濯処理剤を、給水弁１７から吐出した水流を用いずに給水経路４２内に直接投入する。これにより、洗濯運転に必要な洗濯処理剤を、給水経路４２を流れる水に乗せて水槽１３に投入することができる。
【００２６】
処理剤自動投入装置３０は、図３及び図５に示すように、洗濯処理剤を貯留する自動用処理剤タンクとして、自動用洗剤タンク３１１と自動用柔軟剤タンク３１２とを有している。自動用洗剤タンク３１１は、洗濯処理剤として洗剤を貯留するものである。自動用柔軟剤タンク３１２は、洗濯処理剤として柔軟剤を貯留するものである。自動用洗剤タンク３１１及び自動用柔軟剤タンク３１２は、いずれも複数回分の運転で使用される洗濯処理剤を貯留可能であり、その容量は、手動用処理剤ケース２２よりも大きい。
【００２７】
自動用洗剤タンク３１１及び自動用柔軟剤タンク３１２は、外箱１１の幅方向に並んで、つまり左右方向に並んで配置されている。この場合、自動用洗剤タンク３１１及び自動用柔軟剤タンク３１２は、いずれが左側及び右側に配置されても良いが、例えば次のように構成することで、ユーザの利便性を高めることができる。
【００２８】
すなわち、自動用洗剤タンク３１１及び自動用柔軟剤タンク３１２は、外箱１１内にあって水槽１３の上方に設けられていることから、図４に示すように、洗濯機１０の幅方向の外側へ向かうほど、高さ方向の寸法が確保し易い。そのため、自動用洗剤タンク３１１及び自動用柔軟剤タンク３１２は、幅方向の寸法が同一であれば、洗濯機１０の幅方向の中心に対して外側に配置されたタンクの方が、内側に配置されたタンクよりも容量を大きくすることができる。
【００２９】
ここで、一般的には、洗濯運転における洗剤の使用量は、柔軟剤の使用量より多い。そこで、自動用洗剤タンク３１１を幅方向の外側に配置することで、自動用洗剤タンク３１１を、自動用柔軟剤タンク３１２よりも大容量にする。これによれば、洗剤と柔軟剤とのうち消費量の多い洗剤を貯留する自動用洗剤タンク３１１をより大容量にすることができる。そのため、ユーザが洗剤を補充する頻度を低減することができ、その結果、ユーザの利便性を向上させることができる。
【００３０】
この場合、自動用洗剤タンク３１１及び自動用柔軟剤タンク３１２の底部は、図２及び図４に示すように、水槽１３の周方向及び前後方向において、水槽１３の外周面に沿うように形成されている。すなわち、自動用洗剤タンク３１１及び自動用柔軟剤タンク３１２の底面部は、前方から見ると水槽１３の周囲の面に沿って傾斜又は湾曲しており、側方から見ると水槽１３の傾斜に沿って後方へ向けて下降傾斜している。これによれば、自動用洗剤タンク３１１及び自動用柔軟剤タンク３１２の容量を極力大きなものとすることができる。
【００３１】
また、処理剤自動投入装置３０は、ピストンポンプ３２１、３２２、及び逆止弁３３１、３４１、３３２、３４２を有している。これらピストンポンプ３２１、３２２、及び逆止弁３３１、３４１、３３２、３４２は、自動用処理剤タンク３１１、３２１内に貯留された洗濯処理剤のうち洗濯運転に必要な所定量を給水経路４２に自動で投入するための自動投入機構として機能する。この場合、ピストンポンプ３２１及び逆止弁３３１、３４１は、自動用洗剤タンク３１１に対応しており、ピストンポンプ３２２及び逆止弁３３２、３４２は、自動用柔軟剤タンク３１２に対応している。なお、自動投入機構は、この構成に限られない。
【００３２】
ピストンポンプ３２１、３２２の入力側は、それぞれ逆止弁３３１、３３２を介して自動用処理剤タンク３１１、３１２に接続されている。逆止弁３３１、３３２は、自動用処理剤タンク３１１、３１２からピストンポンプ３２１、３２２側へのみ経路を開通するものである。逆止弁３３１、３３２によって、ピストンポンプ３２１、３２２内の洗濯処理剤が、自動用処理剤タンク３１１、３１２内に逆流しないようになっている。
【００３３】
ピストンポンプ３２１、３２２の出力側は、それぞれ逆止弁３４１、３４２を介して給水経路４２に接続されている。逆止弁３４１、３４２は、ピストンポンプ３２１、３２２から給水経路４２側へのみ経路を開通するものである。逆止弁３４１、３４２によって、給水経路４２に供給された洗濯処理剤や給水経路４２を流れる水が、ピストンポンプ３２１、３２２内に逆流しないようになっている。
【００３４】
ピストンポンプ３２１、３２２は、例えばモータやソレノイド等の電気アクチュエータで駆動可能に構成されている。ピストンポンプ３２１、３２２は、ピストンを引き込むことで、自動用処理剤タンク３１１、３１２内に貯留されている洗濯処理剤のうち一定量を、ピストンポンプ３２１、３２２内に引き込む。そして、ピストンポンプ３２１、３２２は、ピストンを押し出すことで、ピストンポンプ３２１、３２２内に引き込んだ洗濯処理剤を、給水経路４２側へ押し出す。
【００３５】
この場合、ピストンの１回の往復動作で押し出される洗濯処理剤の量は、１回の洗濯運転で使用される洗濯処理剤の量よりも十分に少ない。そのため、洗濯機１０は、ピストンポンプ３２１、３２２のピストンの動作回数を調整することで、洗濯運転中に投入する洗濯処理剤の所定量を調整することができる。
【００３６】
以上説明した実施形態によれば、ドラム式洗濯機１０は、外箱１１と、外箱１１の内部に設けられた水槽１３と、処理剤手動投入装置２０と、処理剤自動投入装置３０と、を備える。処理剤手動投入装置２０は、１回分の洗濯処理剤を貯留可能な手動用処理剤ケース２２を有し、手動用処理剤ケース２２内に貯留された洗濯処理剤の全量を洗濯運転中に水槽１３内に投入する。処理剤自動投入装置３０は、複数回分の洗濯処理剤を貯留可能な自動用処理剤タンク３１１、３１２を有し、自動用処理剤タンク３１１、３１２内に貯留された洗濯処理剤のうち所定量を洗濯運転中に水槽１３内に投入する。そして、処理剤自動投入装置３０は、外箱１１の前側部分に設けられている。
【００３７】
ここで、ユーザが手動用処理剤ケース２２や自動用処理剤タンク３１１、３１２に対して作業を行う際には、手動用処理剤ケース２２や自動用処理剤タンク３１１、３１２の重量が重くなるほど、また、作業位置がユーザから離れるほどつまり作業の際にユーザの腕が伸ばされるほど、ユーザの腕に加わる負荷は大きくなって作業性が低下する。この場合、手動用処理剤ケース２２には、１回分の洗濯処理剤しか貯留されないため、手動用処理剤ケース２２の重量はそれほど重くない。そのため、手動用処理剤ケース２２の作業位置がユーザからある程度離れても、その作業性低下への影響は小さい。
【００３８】
一方、自動用処理剤タンク３１１、３１２は、手動用処理剤ケース２２とは異なり、複数回分の運転に必要な洗濯処理剤を貯留することができる。すなわち、自動用処理剤タンク３１１、３１２には、例えば市販の洗剤や柔軟剤の１本分をそのまま全部貯留されることも想定している。複数回分の洗濯処理剤を貯留した自動用処理剤タンク３１１、３１２は、１回分の洗濯処理剤を貯留した手動用処理剤ケース２２に比べて重くなる。そのため、自動用処理剤タンク３１１、３１２の作業位置がユーザから離れると、その作業性は大きく低下する。
【００３９】
そこで、本実施形態の処理剤自動投入装置３０は、外箱１１の前側部分に設けられている。このため、ユーザは、例えば洗剤や柔軟剤を自動用処理剤タンク３１１、３１２に補充したりする際に、洗濯機１０の前側位置で作業することができる。すなわち、ユーザは、洗濯機１０の後方まで大きく腕を伸ばすことなく、自動用処理剤タンク３１１、３１２に対する作業を行うことができる。その結果、ユーザの自動用処理剤タンク３１１、３１２に対する作業性の向上が図られる。
【００４０】
また、洗濯機１０は、操作パネル１８を備えている。操作パネル１８は、外箱１１の上面前側に設けられており、ユーザの操作を受け付ける。そして、処理剤自動投入装置３０は、外箱１１の前後方向において操作パネル１８と重なる位置に設けられている。これによれば、洗濯機１０の前端から操作パネル１８及び処理剤自動投入装置３０までの距離がほぼ同等なものとなる。そのため、処理剤自動投入装置３０に対して作業する際にユーザが腕を伸ばす距離と、操作パネル１８を操作する際にユーザが腕を伸ばす距離とが同等なものとなる。
【００４１】
すなわち、ユーザは、操作パネル１８を毎回の運転の際に操作しているため、操作パネル１８の操作に慣れていると思われる。そのため、ユーザは、操作に慣れている操作パネル１８と同等の距離分、腕を伸ばすだけで、処理剤自動投入装置３０に対する作業を行うことができる。したがって、これによれば、ユーザの処理剤自動投入装置３０に対する作業性の向上が図られる。
【００４２】
また、処理剤手動投入装置２０は、外箱１１の幅方向の一方側寄りに設けられている。そして、処理剤自動投入装置３０は、外箱１１の幅方向に対して処理剤手動投入装置２０と同方向側寄りでかつ処理剤手動投入装置２０の前方に設けられている。これによれば、まず、処理剤自動投入装置３０が外箱１１の幅方向に対して一方側寄りに設けられているため、外箱１１内の空間を有効活用できて、処理剤自動投入装置３０の自動用処理剤タンク３１１、３１２を極力大容量のものにすることができる。
【００４３】
すなわち、処理剤自動投入装置３０の自動用処理剤タンク３１１、３１２は、外箱１１内において、外箱１１と水槽１３との隙間の空間に設置されている。この場合、図４に示すように、外箱１１の幅方向の外側に行くほど、外箱１１と水槽１３との間が大きくなり、より大きな空間を確保し易い。したがって、本実施形態によれば、処理剤自動投入装置３０の自動用処理剤タンク３１１、３１２の容量を極力大容量のものにすることができる。
【００４４】
また、本実施形態によれば、処理剤手動投入装置２０と処理剤自動投入装置３０とは、外箱１１の幅方向に対して同一方向側寄りに設けられているため、ユーザの作業性を向上させることができる。すなわち、処理剤手動投入装置２０及び処理剤自動投入装置３０は、水槽１３内に洗濯処理剤を投入するという共通した機能を有している。そして、ユーザは、処理剤手動投入装置２０及び処理剤自動投入装置３０に対し、洗濯処理剤を追加補充するという共通した作業を行う。このような共通性のある装置の設置位置が大きく異なっていると、ユーザの混乱を招きやすい。
【００４５】
これに対し、本実施形態によれば、処理剤手動投入装置２０と処理剤自動投入装置３０とは、外箱１１の幅方向に対して同一方向側寄りに設けられている。つまり、処理剤手動投入装置２０と処理剤自動投入装置３０とは、ユーザから見て左右方向の同一方向側に配置されている。これによれば、処理剤手動投入装置２０と処理剤自動投入装置３０との位置を近傍に集中させることで、ユーザの混乱を避けて、その結果、作業性を向上させることができる。
【００４６】
更に、本実施形態によれば、処理剤自動投入装置３０は、処理剤手動投入装置２０の前方に設けられている。これによれば、ユーザから自動用処理剤タンク３１１、３１２までの距離を極力短いものにすることができる、その結果、ユーザの自動用処理剤タンク３１１、３１２に対する作業性の向上が図られる。このように、本実施形態によれば、自動用処理剤タンク３１１、３１２の大容量化と作業性の向上とを同時に向上させることができる。
【００４７】
また、処理剤自動投入装置３０は、洗濯処理剤を貯留する自動用処理剤タンクとして、洗剤を貯留する自動用洗剤タンク３１１と柔軟剤を貯留する自動用柔軟剤タンク３１２とを有している。そして、自動用洗剤タンク３１１と自動用柔軟剤タンク３１２とは、外箱１１の幅方向に並んで配置されている。これによれば、ユーザは、自動用洗剤タンク３１１に対する作業と、自動用柔軟剤タンク３１２に対する作業とを、ほぼ同様の位置で行うことができるため、作業性の向上が図られる。
【００４８】
また、洗濯機１０は、外部の水源に接続される給水弁１７と、給水経路４２と、を更に備えている。給水経路４２は、給水弁１７から処理剤手動投入装置２０を経由するとともに処理剤自動投入装置３０を経ずに水槽１３へ至る経路である。そして、処理剤自動投入装置３０は、自動用処理剤タンク３１１、３１２に貯留された洗濯処理剤を、給水経路４２を介して水槽１３に投入する。
【００４９】
これによれば、処理剤自動投入装置３０は、外部の水を給水するための給水経路４２を利用して、自動用処理剤タンク３１１、３１２に貯留された洗濯処理剤を水槽１３に投入する。そのため、処理剤自動投入装置３０から水槽１３へ洗濯処理剤を投入するための専用の経路や、その経路に水を供給するための給水弁等が不要となる。したがって、本実施形態によれば、処理剤自動投入装置３０から水槽１３へ洗濯処理剤を投入するための構成をより簡単なものにすることができ、部品点数やコストの低減を図ることができる。
【００５０】
また、本実施形態によれば、給水弁１７は、図３等に示すように、洗濯機１０に対して手動投入装置２０及び自動投入装置３０が設けられている側と同一方向側に設けられている。これによれば、給水弁１７から手動投入装置２０までの距離つまりは給水経路４２の距離を極力短くすることができ、更には自動投入装置３０から給水経路４２までの距離も極力短くすることができる。
【００５１】
なお、上記第１実施形態において、処理剤自動投入装置３０は、注水ホース１９の途中部分に接続されていたが、処理剤自動投入装置３０の接続先は給水経路４２の途中部分であれば良く、この構成に限られない。
【００５２】
すなわち、処理剤自動投入装置３０は、図６に示すように、例えば処理剤手動投入装置２０の注水ケース２１に接続されていても良い。この場合、処理剤自動投入装置３０は、自動用処理剤タンク３１１、３１２に貯留されている洗濯処理剤を、処理剤手動投入装置２０の注水ケース２１内に投入する。そして、処理剤自動投入装置３０によって注水ケース２１内に投入された洗濯処理剤は、給水経路４２を流れる水つまり給水弁１７から注水ケース２１内に供給された水に押し流されて、水槽１３内に投入される。
この構成によっても、上記第１実施形態と同様の作用効果が得られる。
【００５３】
（第２実施形態）
次に、第２実施形態について図７を参照して説明する。
上記第１実施形態において、自動用洗剤タンク３１１と自動用柔軟剤タンク３１２とは、外箱１１の幅方向に並んで配置されていた。一方、本実施形態において、自動用洗剤タンク３１１と自動用柔軟剤タンク３１２とは、図７に示すように、外箱１１の奥行方向つまり前後方向に並んで配置されている。
【００５４】
この場合、前後に配置された自動用洗剤タンク３１１と自動用柔軟剤タンク３１２とを配置可能な空間は、後方へ行くほど大きくなる。そのため、例えば前側に自動用洗剤タンク３１１が配置され、後側に自動用柔軟剤タンク３１２が配置された構成について見ると、後側に配置された自動用柔軟剤タンク３１２の容量を、前側に配置された自動用洗剤タンク３１１の容量に合わせることで、自動用洗剤タンク３１１と自動用柔軟剤タンク３１２とを同一形状にすることができる。つまり、自動用洗剤タンク３１１と自動用柔軟剤タンク３１２とを同一容量にすることで、自動用洗剤タンク３１１と自動用柔軟剤タンク３１２との部品を共通化することができる。その結果、組立作業の容易化やコストの低減を図ることができる。
【００５５】
また、この場合、自動用洗剤タンク３１１を、自動用柔軟剤タンク３１２の前側に配置することができる。これにより、補充の頻度が高い自動用洗剤タンク３１１をよりユーザ側に配置することで、自動用洗剤タンク３１１に対する作業性を向上させることができる。
【００５６】
また、自動用洗剤タンク３１１は、自動用柔軟剤タンク３１２の後側に配置されていても良い。この場合、水槽１３の傾斜に沿って、自動用処理剤タンク３１１、３１２の底面部を傾斜させることで、タンク３１１、３１２の高さを大きく確保して容量を増大させることができる。そのため、自動用洗剤タンク３１１を、自動用柔軟剤タンク３１２の後側に配置することで、自動用洗剤タンク３１１の容量を増大させることができる。これによれば、柔軟剤に比べて消費量の多い洗剤が貯留される自動用洗剤タンク３１１を大容量化することで、ユーザが洗剤を補充する頻度を低減することができ、その結果、ユーザの利便性を向上させることができる。
【００５７】
（第３実施形態）
次に、第３実施形態について図８〜図１０を参照して説明する。
上記各実施形態において、処理剤手動投入装置２０と処理剤自動投入装置３０とは、外箱１１の奥行方向つまり前後方向に並んで配置されていた。一方、本実施形態において、処理剤手動投入装置２０と処理剤自動投入装置３０とは、外箱１１の幅方向つまり左右方向に並んで配置されている。すなわち、処理剤手動投入装置２０は、処理剤自動投入装置３０と共に洗濯機１０の前側、この場合、前端部１１２付近つまり最前端に設けられている。
【００５８】
この場合、図８及び図９に示すように、処理剤手動投入装置２０を、外箱１１の左右方向の中央側寄りに設け、処理剤自動投入装置３０を、処理剤手動投入装置２０に対して外箱１１の左右方向の外側に設けても良い。この場合、処理剤自動投入装置３０の各タンク３１１、３１２は、図８に示すように左右方向に並べて配置しても良いし、図９に示すように前後方向に並べて配置しても良い。
【００５９】
また、図１０及び図１１に示すように、処理剤自動投入装置３０を、外箱１１の左右方向の中央側寄りに設け、処理剤手動投入装置２０を、処理剤自動投入装置３０に対して外箱１１の左右方向の外側に設けても良い。この場合も、処理剤自動投入装置３０の各タンク３１１、３１２は、図１０に示すように左右方向に並べて配置しても良いし、図１１に示すように前後方向に並べて配置しても良い。
【００６０】
本実施形態によっても、上記各実施形態と同様の作用効果が得られる。
更に、本実施形態によれば、処理剤手動投入装置２０も、処理剤自動投入装置３０と同様に洗濯機１０の前側に設けられている。これによれば、ユーザは、処理剤手動投入装置２０についても、腕を大きく伸ばさなくても作業が出来るため、作業性の向上が図られる。
【００６１】
なお、上記各実施形態において、処理剤手動投入装置２０及び処理剤自動投入装置３０と、操作パネル１８との位置関係を左右逆にしても良い。すなわち、上記各実施形態において、操作パネル１８は、作業者側から見て洗濯機１０の右側寄りに設けられており、処理剤手動投入装置２０及び処理剤自動投入装置３０は、作業者側から見て洗濯機１０の左側寄りつまり操作パネル１８の左側に設けられていた。しかしこれに限られず、操作パネル１８を作業者側から見て左側寄りに設け、処理剤手動投入装置２０及び処理剤自動投入装置３０を作業者側から見て右側寄りつまり操作パネル１８の右側に設けても良い。
【００６２】
以上、本発明の複数の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６３】
図面中、１０はドラム式洗濯機、１１は外箱、１３は水槽、１８は操作パネル、２０は処理剤手動投入装置、２２は手動用処理剤ケース、３０は処理剤自動投入装置、３１１は自動用洗剤タンク（自動用処理剤タンク）、３１２は自動用柔軟剤タンク（自動用処理剤タンク）、４２は給水経路、を示す。
【図１】
2020000801.tif 000003
【図２】
2020000801.tif 000004
【図３】
2020000801.tif 000005
【図４】
2020000801.tif 000006
【図５】
2020000801.tif 000007
【図６】
2020000801.tif 000008
【図７】
2020000801.tif 000009
【図８】
2020000801.tif 000010
【図９】
2020000801.tif 000011
【図１０】
2020000801.tif 000012
【図１１】
2020000801.tif 000013